(57)【要約】【課題】  シリーズになったコンテンツの配信においてユーザが次話コンテンツを手軽にダウンロードできるようにする。【解決手段】  本発明の次話検索方法は、モバイル端末がコンテンツのダウンロードリクエストを送信するステップ（Ｓ１）と、受信したダウンロードリクエストに基づいてフロントサーバがモバイル端末へとコンテンツを配信するステップ（Ｓ２）と、フロントサーバがダウンロードに関するダウンロード履歴情報を次話検索サーバへ送信するステップ（Ｓ３）と、次話検索サーバが受信したダウンロード履歴情報を保存するステップと、モバイル端末が次話検索サーバへ次話検索リクエストを送信するステップ（Ｓ６）と、次話検索サーバがダウンロード履歴情報に基づいて次話検索リクエストを送信するステップ（Ｓ８）と、フロントサーバが次話検索結果を送信するステップ（Ｓ９）と、次話検索サーバが次話検索結果を送信するステップ（Ｓ１０）とを含む。【選択図】  図３
2010108127.tif 000002
【特許請求の範囲】
【請求項１】
モバイル端末がコンテンツのダウンロードリクエストをフロントサーバへ送信するステップと、
受信したダウンロードリクエストに基づいて前記フロントサーバ又は前記フロントサーバからの指示を受けた配信サーバが前記モバイル端末へとコンテンツを配信するステップと、
前記フロントサーバが前記ダウンロードに関するダウンロード履歴情報を、前記コンテンツの次話にあたる次話コンテンツを検索する次話検索サーバへ送信するステップと、
前記次話検索サーバが受信したダウンロード履歴情報を保存するステップと、
前記モバイル端末がダウンロードした前記コンテンツの次話にあたる次話コンテンツのダウンロードをリクエストするために、前記モバイル端末が前記次話検索サーバへ検索リクエストを送信するステップと、
前記検索リクエストを受信した前記次話検索サーバが、該検索リクエストに含まれる情報の少なくとも一部を含んだ次話リクエストを作成し、該検索リクエストに含まれる情報を検索条件として前記ダウンロード履歴情報を検索することにより得られた情報に応じて前記次話リクエストの送信先となるフロントサーバを指定して該次話リクエストを送信するステップと、
前記フロントサーバが次話リクエストを処理して、前記次話検索サーバへ次話検索結果を送信するステップと、
前記次話検索サーバが前記モバイル端末へ前記次話検索結果を送信するステップと、
前記モバイル端末が前記次話検索結果を表示するステップと、
ユーザによる次話検索結果の承認を受けて、前記モバイル端末が次話コンテンツのダウンロードリクエストをフロントサーバへ送信するステップと
を含む次話検索方法。
【請求項２】
モバイル端末がコンテンツプロバイダのフロントサーバ又は前記フロントサーバからの指示を受けた配信サーバからコンテンツをダウンロードした場合に、前記フロントサーバから該ダウンロードに関するデータを受信してデータベースに保存するダウンロード履歴データ保存手段と、
前記モバイル端末がダウンロードした前記コンテンツの次話にあたる次話コンテンツに関する検索リクエストを前記モバイル端末から受信して、該検索リクエストに含まれる情報を検索条件として前記データベースを検索する検索リクエスト処理手段と、
前記検索リクエストに含まれる情報の少なくとも一部を含んだ次話リクエストを作成し、前記検索により得られた情報に応じて該次話リクエストの送信先となるフロントサーバを指定して該次話リクエストを送信する次話リクエスト作成手段と、
前記ダウンロードに関する前記データを保存するデータベースと、
前記ダウンロード履歴データ保存手段と前記検索リクエスト処理手段と前記次話検索リクエスト手段とが前記データベースと通信するためのデータベース通信手段と、
前記ダウンロード履歴保存手段及び前記次話リクエスト作成手段が前記フロントサーバと通信するためのフロントサーバ通信手段と、
前記検索リクエスト処理手段が前記モバイル端末と通信するためのモバイル端末通信手段と
を備える次話検索サーバ。
【請求項３】
モバイル端末がコンテンツプロバイダのフロントサーバ又は前記フロントサーバからの指示を受けた配信サーバからコンテンツをダウンロードした場合に、前記フロントサーバから該ダウンロードに関するデータを受信してデータベースに保存するダウンロード履歴データ保存手段と、
前記モバイル端末がダウンロードした前記コンテンツの次話にあたる次話コンテンツに関する検索リクエストを前記モバイル端末から受信して、該検索リクエストに含まれる情報を検索条件として前記データベースを検索する検索リクエスト処理手段と、
前記検索リクエストに含まれる情報の少なくとも一部を含んだ次話リクエストを作成し、前記検索により得られた情報に応じて該次話リクエストの送信先となるフロントサーバを指定して該次話リクエストを送信する次話リクエスト作成手段と、
前記ダウンロードに関する前記データを保存するデータベースと、
前記ダウンロード履歴データ保存手段と前記検索リクエスト処理手段と前記次話検索リクエスト手段とが前記データベースと通信するためのデータベース通信手段と、
前記ダウンロード履歴保存手段及び前記次話リクエスト作成手段が前記フロントサーバと通信するためのフロントサーバ通信手段と、
前記検索リクエスト処理手段が前記モバイル端末と通信するためのモバイル端末通信手段と
をコンピュータに実現させる、次話検索のためのコンピュータプログラム。
【請求項４】
コンテンツの内容を表示画面に表示するためのビュワーがインストールされたモバイル端末がサーバからコンテンツをダウンロードするステップと、
ダウンロードした前記コンテンツを前記ビュワーが前記表示画面に表示するステップと、
前記コンテンツの次話にあたる次話コンテンツの検索リクエストを前記モバイル端末があるサーバへ送信するステップと、
前記検索リクエストを受信したサーバが、前記次話コンテンツのダウンロード先ＵＲＬ又は次話コンテンツの内容を示す表示を含む情報を前記モバイル端末へ返信するステップと、
前記モバイル端末が、受信した情報に含まれる前記ダウンロード先ＵＲＬを前記表示画面に表示するステップと、
ユーザによる次話検索結果の承認を受けて、前記モバイル端末が前記ダウンロード先ＵＲＬにアクセスして前記次話コンテンツをダウンロードするステップと
ダウンロードした前記次話コンテンツを前記ビュワーが前記表示画面に表示するステップと
を含む方法。
【発明の詳細な説明】
【技術分野】
【０００１】
本発明は、携帯電話などのモバイル端末を用いて閲覧した漫画などのシリーズになっているコンテンツの次話を検索する方法に関する。
【背景技術】
【０００２】
モバイル通信の発達により、携帯電話を用いて通話のみならず漫画や小説などの電子書籍の閲覧が可能となっている。電子書籍はストリーミングあるいはダウンロードすることにより閲覧することができる。この電子書籍は、漫画や小説、写真集などのように第１話、第２話というように一連のストーリーを有しており、シリーズになっているものが多くある。通常、第１話と第２話とではファイル（コンテンツファイルと呼ぶ）自体が別であり、課金も第１話及び第２話のそれぞれに対して行われることが多い。例えば、第１話のみ無料とし、第２話以降は有料としているコンテンツもある。
【０００３】
電子書籍、例えば漫画Ｘの第１話は、コンテンツプロバイダ（Ｃｏｎｔｅｎｔｓ  Ｐｒｏｖｉｄｅｒ：ＣＰ）と呼ばれるデジタル化された情報を提供する事業者によって提供される。同一のコンテンツが、複数のコンテンツプロバイダにより提供されている。
【０００４】
ユーザはシリーズになった漫画Ｘの第１話を閲覧し終えて、次に第２話を閲覧したいと考えたとき、漫画Ｘを提供するコンテンツプロバイダのＷｅｂページにアクセスし、そのユーザが希望する第２話を探してダウンロードする。この操作は、すぐに第２話を閲覧したいと望むユーザにとって煩雑なものである。一方、ユーザは、漫画Ｘの第１話をコンテンツプロバイダＡ社からダウンロードし、続く第２話を別のコンテンツプロバイダＢ社からダウンロードすることももちろんできる。しかし、第２話をダウンロードするときにユーザに対して、第１話をダウンロードしたＡ社のダウンロード先ＵＲＬ（Ｕｎｉｆｏｒｍ  Ｒｅｓｏｕｒｃｅ  Ｌｏｃａｔｏｒ）を提供することができれば、ユーザはわざわざＷｅｂ上を検索しなくても手軽かつ直接的に第２話をダウンロードすることができる。
【０００５】
ここで、第１話をダウンロードしたＡ社のダウンロード先ＵＲＬを提供するために、第１話のコンテンツファイルにＡ社のダウンロード先ＵＲＬについての情報を埋め込むという方法がある。この方法には以下の問題点がある。第一の問題点は、コンテンツには携帯電話事業者（キャリア）ごとに異なった仕様のＤＲＭ（Ｄｉｇｉｔａｌ  Ｒｉｇｈｔｓ  Ｍａｎａｇｅｍｅｎｔ：デジタル著作権管理）が施されているため、ＤＲＭが施される素材の前の段階から製作し直す必要があるという点である。第二の問題点は、取次ぎ型の配信の場合にもコンテンツを製作し直す必要があるという点である。第三の問題点は、通常、限界まで使われていることの多いコンテンツファイルの容量に影響があるという点である。
【発明の開示】
【発明が解決しようとする課題】
【０００６】
本発明の目的は、次話コンテンツを検索するために、ユーザが現在閲覧しているコンテンツが「どのようなコンテンツであって」、「どのコンテンツプロバイダから」配信されたものであるのかを特定する方法を提供することである。ここで、「どのようなコンテンツ」であるかについての情報及び「どのコンテンツプロバイダから」配信されたものであるかについての情報を、送信されるコンテンツファイルに埋め込むのではなく、別途保存したユーザのダウンロード履歴から決定する。
【課題を解決するための手段】
【０００７】
上記課題を解決するため、本発明に係る次話検索方法は、モバイル端末がコンテンツのダウンロードリクエストをフロントサーバへ送信するステップと、受信したダウンロードリクエストに基づいて前記フロントサーバ又は前記フロントサーバからの指示を受けた配信サーバが前記モバイル端末へとコンテンツを配信するステップと、前記フロントサーバが前記ダウンロードに関するダウンロード履歴情報を、前記コンテンツの次話にあたる次話コンテンツを検索する次話検索サーバへ送信するステップと、前記次話検索サーバが受信したダウンロード履歴情報を保存するステップと、前記モバイル端末がダウンロードした前記コンテンツの次話にあたる次話コンテンツのダウンロードをリクエストするために、前記モバイル端末が前記次話検索サーバへ検索リクエストを送信するステップと、前記検索リクエストを受信した前記次話検索サーバが、該検索リクエストに含まれる情報の少なくとも一部を含んだ次話リクエストを作成し、該検索リクエストに含まれる情報を検索条件として前記ダウンロード履歴情報を検索することにより得られた情報に応じて前記次話リクエストの送信先となるフロントサーバを指定して該次話リクエストを送信するステップと、前記フロントサーバが次話リクエストを処理して、前記次話検索サーバへ次話検索結果を送信するステップと、前記次話検索サーバが前記モバイル端末へ前記次話検索結果を送信するステップと、前記モバイル端末が前記次話検索結果を表示するステップと、ユーザによる次話検索結果の承認を受けて、前記モバイル端末が次話コンテンツのダウンロードリクエストをフロントサーバへ送信するステップとを含む。
【０００８】
上記課題を解決するため、本発明に係る次話検索サーバは、モバイル端末がコンテンツプロバイダのフロントサーバ又は前記フロントサーバからの指示を受けた配信サーバからコンテンツをダウンロードした場合に、前記フロントサーバから該ダウンロードに関するデータを受信してデータベースに保存するダウンロード履歴データ保存手段と、前記モバイル端末がダウンロードした前記コンテンツの次話にあたる次話コンテンツに関する検索リクエストを前記モバイル端末から受信して、該検索リクエストに含まれる情報を検索条件として前記データベースを検索する検索リクエスト処理手段と、前記検索リクエストに含まれる情報の少なくとも一部を含んだ次話リクエストを作成し、前記検索により得られた情報に応じて該次話リクエストの送信先となるフロントサーバを指定して該次話リクエストを送信する次話リクエスト作成手段と、前記ダウンロードに関する前記データを保存するデータベースと、前記ダウンロード履歴データ保存手段と前記検索リクエスト処理手段と前記次話検索リクエスト手段とが前記データベースと通信するためのデータベース通信手段と、前記ダウンロード履歴保存手段及び前記次話リクエスト作成手段が前記フロントサーバと通信するためのフロントサーバ通信手段と、前記検索リクエスト処理手段が前記モバイル端末と通信するためのモバイル端末通信手段とを備える。
【０００９】
上記課題を解決するため、本発明に係る次話検索のためのコンピュータプログラムは、モバイル端末がコンテンツプロバイダのフロントサーバ又は前記フロントサーバからの指示を受けた配信サーバからコンテンツをダウンロードした場合に、前記フロントサーバから該ダウンロードに関するデータを受信してデータベースに保存するダウンロード履歴データ保存手段と、前記モバイル端末がダウンロードした前記コンテンツの次話にあたる次話コンテンツに関する検索リクエストを前記モバイル端末から受信して、該検索リクエストに含まれる情報を検索条件として前記データベースを検索する検索リクエスト処理手段と、前記検索リクエストに含まれる情報の少なくとも一部を含んだ次話リクエストを作成し、前記検索により得られた情報に応じて該次話リクエストの送信先となるフロントサーバを指定して該次話リクエストを送信する次話リクエスト作成手段と、前記ダウンロードに関する前記データを保存するデータベースと、前記ダウンロード履歴データ保存手段と前記検索リクエスト処理手段と前記次話検索リクエスト手段とが前記データベースと通信するためのデータベース通信手段と、前記ダウンロード履歴保存手段及び前記次話リクエスト作成手段が前記フロントサーバと通信するためのフロントサーバ通信手段と、前記検索リクエスト処理手段が前記モバイル端末と通信するためのモバイル端末通信手段とをコンピュータに実現させる。
【００１０】
上記課題を解決するため、本発明の方法は、コンテンツの内容を表示画面に表示するためのビュワーがインストールされたモバイル端末がサーバからコンテンツをダウンロードするステップと、ダウンロードした前記コンテンツを前記ビュワーが前記表示画面に表示するステップと、前記コンテンツの次話にあたる次話コンテンツの検索リクエストを前記モバイル端末があるサーバへ送信するステップと、前記検索リクエストを受信したサーバが、前記次話コンテンツのダウンロード先ＵＲＬ又は次話コンテンツの内容を示す表示を含む情報を前記モバイル端末へ返信するステップと、前記モバイル端末が、受信した情報に含まれる前記ダウンロード先ＵＲＬを前記表示画面に表示するステップと、ユーザによる次話検索結果の承認を受けて、前記モバイル端末が前記ダウンロード先ＵＲＬにアクセスして前記次話コンテンツをダウンロードするステップとダウンロードした前記次話コンテンツを前記ビュワーが前記表示画面に表示するステップとを含む。
【００１１】
本明細書及び本願特許請求の範囲において、「コンテンツ」とは、漫画や小説、写真集、動画その他の電子書籍などの人間が観賞する情報のことをいう。
【００１２】
本明細書及び本願特許請求の範囲において、「ビュワー」とは、顧客が所有する携帯電話機その他のモバイル端末の表示画面にコンテンツを表示して、ユーザがコンテンツの中味を閲覧できるようにするソフトウェアのことをいう。通常、ビュワーは携帯電話機その他のモバイル端末にインストールされ、ユーザがモバイル端末を操作することにより起動及び終了することができる。
【発明の効果】
【００１３】
本発明によれば、ユーザが手軽に次話コンテンツをダウンロードすることができるとともに、ある一つのコンテンツだけではなく次話コンテンツも継続的に顧客にダウンロードしてもらうことにより、当該ユーザが最初にアクセスしたコンテンツプロバイダは継続的に利益を上げることができる。また、本発明の次話検索方法は、いずれの携帯電話事業者にも対応することができ、コンテンツプロバイダに対してコンテンツへの追加データの埋め込みといった付加的な負担をかけることなく導入及び運用できる。
【発明を実施するための最良の形態】
【００１４】
次に、漫画Ｘの第１話をダウンロードして閲覧したユーザが漫画Ｘの第２話を検索してダウンロードする場合を想定して、本発明の次話検索方法を実施する一つの形態について図面を参照しながら説明する。
【００１５】
図１は、次話検索システム１を示している。次話検索システム１は、モバイル端末２と、フロントサーバ３と、配信サーバ４と、次話検索サーバ５とを含んでいる。モバイル端末２は、ネットワーク６を通してフロントサーバ３、配信サーバ４、及び次話検索サーバ５と通信可能に接続されている。さらに、フロントサーバ３は、配信サーバ４及び次話検索サーバ５と通信可能に接続されている。ネットワーク６は、ＷＡＮ（Ｗｉｄｅ  Ａｒｅａ  Ｎｅｔｗｏｒｋ）等の通信回線で構成することができ、例えば、異なる携帯電話会社ごとに異なるものである。
【００１６】
モバイル端末２は通常の携帯電話機やＰＤＡ（Ｐｅｒｓｏｎａｌ  Ｄｉｇｉｔａｌ  Ａｓｓｉｓｔａｎｔ）その他のモバイル端末であり、プロセッサ、メモリ、操作ボタン、及び表示画面等を備えている。メモリには、コンテンツファイルを保存するためのフォルダが設けられている。また、モバイル端末２には、コンテンツを閲覧するためのソフトウェアであるビュワー及びウェブページを閲覧するためのソフトウェアであるウェブブラウザがインストールされている。
【００１７】
フロントサーバ３は、コンテンツを提供する事業者であるコンテンツプロバイダ（Ｃｏｎｔｅｎｔｓ  Ｐｒｏｖｉｄｅｒ：ＣＰ）が管理するサーバである。フロントサーバ３は、モバイル端末２からのリクエストを受信して、コンテンツを配信することができる。コンテンツプロバイダによっては、フロントサーバではなく配信サーバ４からコンテンツを配信することもできる。配信サーバ４は、通常、コンテンツプロバイダもしくはコンテンツを取り次ぐ取次会社が管理しており、コンテンツを保持している。
【００１８】
次話検索サーバ５の機能ブロック図を図２に示している。次話検索サーバ５は、処理手段５１と、モバイル端末通信手段５２と、データベース通信手段５３と、データベース５４と、フロントサーバ通信手段５５とを備えている。処理手段５１には、モバイル端末通信手段５２及びフロントサーバ通信手段５５が接続されている。処理手段５１は、モバイル端末通信手段５２及びフロントサーバ通信手段５５を通して、モバイル端末２及びフロントサーバ３とそれぞれ通信することができる。さらに、処理手段５１には、データベース５４に接続されたデータベース通信手段５３が接続されている。処理手段５１は、データベース通信手段５３を通してデータベース５４にアクセスすることができる。
【００１９】
図２によれば、データベース５４は次話検索サーバ５内に配置されているが、次話検索サーバ５の外部に配置することもできる。
【００２０】
処理手段５１は、ダウンロード履歴データ保存手段５１１と、検索リクエスト処理手段５１２と、次話リクエスト作成手段５１３とを備えている。これらの３つの手段の詳細については後述する。
【００２１】
図３は、図２に示した次話検索サーバ５を含む図１の次話検索システムを動作させて、次話検索を実施するための処理シーケンスを示している。まず、ステップＳ１において、モバイル端末２がフロントサーバ３へダウンロードリクエストを送信する。これは、例えば、モバイル端末２の表示画面にブラウザによって表示される「コンテンツをダウンロードする」というボタンをユーザが押して、その結果を受けてブラウザの機能により送信するようにすることができる。ダウンロードリクエストには、ユーザを特定するユーザＩＤと、コンテンツ（漫画Ｘの第１話）を特定するコンテンツＩＤとが含まれている。
【００２２】
ステップＳ２において、フロントサーバ３は、モバイル端末２から受信したダウンロードリクエストに応じて、コンテンツをモバイル端末２へ配信する。あるいは、ダウンロードリクエストを受信したフロントサーバ３からの指示を受けて配信サーバ４は、リクエストされたコンテンツをモバイル端末２へ配信する。
【００２３】
ステップＳ３において、フロントサーバ３は、ダウンロード履歴データを次話検索サーバ５へ送信する。このダウンロード履歴データには、ユーザＩＤと、コンテンツＩＤと、ＣＰを特定するＣＰ−ＩＤとが含まれている。ダウンロード履歴データの構造を表１に示している。なお、ステップＳ２において配信サーバ４がコンテンツを配信する場合でも、ステップＳ３においてダウンロード履歴データを送信するのは、フロントサーバ３である。
【表１】
2010108127.tif 000003
【００２４】
同じくステップＳ３において、次話検索サーバ５は、フロントサーバ通信手段５５を通してダウンロード履歴データを受信する。そして、ダウンロード履歴データ保存手段５１１は、データベース通信手段５３を通してデータベース５４にアクセスし、受信したダウンロード履歴データに含まれるユーザＩＤとコンテンツＩＤとＣＰ−ＩＤとを、ユーザＩＤをキーとして、データベース５４内のダウンロード履歴テーブルにレコードを作成して保存する。
【００２５】
ダウンロード履歴テーブルを表２に示している。ダウンロード履歴テーブルは、「作成日時」カラムと「ユーザＩＤ」カラムと「コンテンツＩＤ」カラムと「ＣＰ−ＩＤ」カラムとを有している。「作成日時」カラムは、レコードが作成された日時を保存するカラムである。「ユーザＩＤ」カラム及び「コンテンツＩＤ」カラムは、ユーザＩＤ及びコンテンツＩＤをそれぞれ保存するカラムである。「ＣＰ−ＩＤ」カラムは、コンテンツプロバイダを特定するＩＤであるＣＰ−ＩＤを保存するカラムである。
【表２】
2010108127.tif 000004
【００２６】
ここで、データベース５４の記憶容量の節約のため、１ユーザあたりのレコード数の上限を例えば１００とすることができる。１００を超える場合には、ダウンロード履歴データ保存手段５１１が当該ユーザの「作成日時」カラムに基づいて古いレコードから順に削除を行い、当該ユーザのレコード数が１００を超えないようにすることができる。
【００２７】
ステップＳ４において、ユーザの端末操作によりビュワーが起動され、ステップＳ５において、ダウンロードしたコンテンツ（漫画Ｘの第１話）をユーザがビュワーにより閲覧する。
【００２８】
漫画Ｘの第１話の閲覧が終わり、続いて第２話を閲覧しようとするユーザのモバイル端末２は、ステップＳ６において検索リクエストを次話検索サーバ５へ送信する。これは、例えば、第１話の最後に表示される「続きを読む」というボタンをユーザが押すことによって送信するようにすることができる。検索リクエストには、ユーザＩＤと漫画Ｘの第１話を特定するコンテンツＩＤとが含まれている。検索リクエストのデータ構造を表３に示している。
【表３】
2010108127.tif 000005
【００２９】
ここで、モバイル端末２は、上述したようにステップＳ１においてブラウザがフロントサーバ３へアクセスするのに対し、本ステップＳ６においてはビュワーが次話検索サーバへアクセスするという点でステップＳ１と異なる点に留意されたい。すなわち、ブラウザにより表示画面に表示される「コンテンツをダウンロードする」というボタンをユーザが選択した場合には，ステップＳ１でフロントサーバ３へアクセスし、ビュワーにより表示される「続きを読む」というボタンを選択した場合はステップＳ６で次話検索サーバ５へアクセスする。このアクセス先の制御は、ビュワーの機能により行うことができる。
【００３０】
同じくステップＳ６において、次話検索サーバ５は、モバイル端末通信手段５２を通して検索リクエストを受信する。次に、検索リクエスト処理手段５１２は、ステップＳ７において、データベース通信手段５３を通してデータベース５４へアクセスし、検索リクエストに含まれるユーザＩＤとコンテンツＩＤを検索キーとしてデータベース５４内のダウンロード履歴テーブルを検索する。そして、検索リクエスト処理手段５１２は、該当するレコードのＣＰ−ＩＤを取得する。
【００３１】
ここで、コンテンツＩＤが例えば全部で９桁とすると、同一シリーズのコンテンツであればコンテンツＩＤの例えば上位７桁は同一とすることができる。すなわち、コンテンツＩＤの上位７桁がコンテンツのシリーズを特定するものであり、下位２桁がそのコンテンツの第何話であるかを特定するものであるようにすることができる。したがって、次話検索サーバ５内の検索リクエスト処理手段５１２は、データベース５４を検索する際に、コンテンツＩＤの下位２桁を無視して検索を行うことができ、結果として、コンテンツＩＤの全桁を用いて検索する場合よりも検索処理の負担を低減することができる。
【００３２】
ステップＳ８において、次話検索サーバ５内の次話リクエスト作成手段５１３は、次話リクエストを作成する。この次話リクエストには、検索リクエストに含まれていたコンテンツＩＤ（漫画Ｘの第１話のコンテンツＩＤ）が含まれている。次話リクエストのデータ構造を表４に示している。そして、次話リクエスト作成手段５１３は、フロントサーバ通信手段５５を通して、ステップＳ７で取得したＣＰ−ＩＤに対応するコンテンツプロバイダのフロントサーバ３へ次話リクエストを送信する。
【表４】
2010108127.tif 000006
【００３３】
ステップＳ９において、フロントサーバ３は、次話リクエストを受信する。そして、次話リクエストに含まれるコンテンツＩＤに対応するコンテンツ（ここでは、漫画Ｘの第１話）の次話コンテンツ（例えば、漫画Ｘの第２話）を検索する。同じくステップＳ９において、検索結果データを次話検索サーバ５へ返送する。この検索結果データには、検索結果と、次話コンテンツに対応する次話コンテンツＩＤと、次話コンテンツのダウンロード先ＵＲＬ（Ｕｎｉｆｏｒｍ  Ｒｅｓｏｕｒｃｅ  Ｌｏｃａｔｏｒ）である次話誘導ＵＲＬとが含まれている。検索結果データの構造を表５に示している。
【表５】
2010108127.tif 000007
【００３４】
ステップＳ１０において、次話検索サーバ５は、ステップＳ９で受信した結果データをモバイル端末２のビュワーに転送する。次に、ステップＳ１１においてビュワーが結果データを受け取る。
【００３５】
ビューアが受信した結果に基づいてブラウザを起動させる。
【００３６】
ステップＳ１２において、モバイル端末２にインストールされたウェブブラウザが起動し、受信した結果データに基づいて、検索結果と次話誘導ＵＲＬ又は次話コンテンツに関するシリーズ名と第何話かの表示を表示画面に表示する。
【００３７】
ステップＳ１３において、ウェブブラウザにより表示された表示画面上のボタンをユーザが操作することにより次話コンテンツのダウンロードが承認されると、次話誘導ＵＲＬへとモバイル端末がアクセスする。
【００３８】
ステップＳ１４では、ステップＳ１と同様に、次話コンテンツについてのダウンロードリクエストをモバイル端末２がフロントサーバ３へ送信する。これも、ステップＳ１と同様に、モバイル端末２の表示画面に表示される「コンテンツをダウンロードする」というボタンをユーザが押して、その結果を受けてブラウザの機能により送信するようにすることができる。ステップＳ１５では、ステップＳ２と同様に、モバイル端末２がフロントサーバ３あるいは配信サーバ４から次話コンテンツをダウンロードする。
【００３９】
以上のようにして、漫画Ｘの第１話の次話にあたる第２話をダウンロードすることができる。上記ステップＳ６〜Ｓ１５を繰り返すことにより、第３話以降も同様にダウンロードすることができる。
【図面の簡単な説明】
【００４０】
【図１】次話検索システムの一例を示す概念図である。
【図２】次話検索サーバの一例を示す機能ブロック図である。
【図３】モバイル端末、次話検索サーバ、及びフロントサーバの処理及びデータの流れを示すシーケンス図である。
【符号の説明】
【００４１】
１  次話検索システム
２  モバイル端末
３  フロントサーバ
４  配信サーバ
５  次話検索サーバ
６  ネットワーク
５１  処理手段
５２  モバイル端末通信手段
５３  データベース通信手段
５４  データベース
５５  フロントサーバ通信手段
５１１  ダウンロード履歴データ保存手段
５１２  検索リクエスト処理手段
５１３  次話リクエスト作成手段
【図１】
2010108127.tif 000008
【図２】
2010108127.tif 000009
【図３】
2010108127.tif 000010